(57)【要約】  本発明は、注射装置から射出される投与量を調整するための、注射装置の投与機構（２、３）に関する。この投与機構（２、３）は、調整素子（２）を有し、調整素子は、投与機構に対して移動でき、また、ネジ付きロッドに対して一方向に移動でき、一方で反対方向の相対運動は防止される。投与機構（２、３）は、さらに保持素子（３）を有し、保持素子は、係合素子３ａにはまり、ネジ付きロッドの少なくとも一方向における回転を防止する。開示される投与機構は、解放素子（５）を備え、解放素子は調整阻止とネジ付きロッドとの間の連結を解除することを可能にする。【選択図】図１
2010524600.tif 000002
【特許請求の範囲】
【請求項１】
注射装置から分配される投与量を設定するための注射装置の投与量設定機構（２、３）であって、設定素子（２）を有し、前記設定素子は、前記投与量設定機構に対して移動でき、前記設定素子は、ネジ付きロッド（１）との連結を許容する連結素子（２ａ）を有し、前記設定素子（２）は、前記ネジ付きロッド（１）に対して一方向に移動でき且つ反対方向への相対運動がブロックされ、前記投与量設定機構は、保持素子（３）を有し、前記保持素子は、前記ネジ付きロッド（１）の少なくとも一方向の回転運動をブロックするために位置決め素子（３ａ）を備え、
前記投与量設定機構は、解放素子（５）を有し、前記解放素子により、前記設定素子（２）と前記ネジ付きロッド（１）との間の連結を解放できる、注射装置の投与量設定機構。
【請求項２】
注射装置の投与量設定機構であって、設定素子（２）を有し、前記設定素子は、投与量を設定するために設定方向に回転でき、また、反対の投与量訂正方向に回転でき、前記投与量設定機構は、投与量が設定されると、前記設定素子をプランジャ、特に歯状のロッドまたはネジ付きロッド（１）、に連結するための連結素子を有し、たとえば回転または変位を防止しまた投与量の設定の前に連結を解放する、投与量設定機構。
【請求項３】
請求項１または２に記載の投与量設定機構であって、少なくとも１つの位置決め素子（３ａ）および／または少なくとも１つの連結素子（２ａ）は、弾性領域を備え、または、キャッチアームまたはスナップアームを構成する、投与量設定機構。
【請求項４】
請求項１乃至３のいずれか一項に記載の投与量設定機構であって、バネ（６）を有し、前記バネは前記設定素子（２）に接続され、前記設定素子（２）の設定運動により張力が与えられる、投与量設定機構。
【請求項５】
請求項１乃至４のいずれか一項に記載の投与量設定素子であって、歯状ロッドまたはネジ付きロッドを有する、投与量設定素子。
【請求項６】
請求項１乃至５のいずれか一項に記載の投与量設定機構であって、トリガ素子（４）を有し、前記トリガ素子により、保持素子（３）とネジ付ロッド（１）との間の連結が解放される、投与量設定機構。
【請求項７】
請求項６に記載の投与量設定機構であって、前記トリガ素子（４）は半径面に対して傾斜する表面を備える素子（４ａ）を有する、投与量設定機構。
【請求項８】
請求項１乃至７のいずれか一項に記載の投与量設定機構であって、前記設定素子（２）は、注射装置の内側ネジ内に位置することができる外側ネジ（２ｂ）を有する、投与量設定機構。
【請求項９】
請求項１乃至８のいずれか一項に記載の投与量設定機構であって、ネジ付きロッド（１）は、歯部（１ａ）を備える外側ネジ（１ｂ）を有する、投与量設定機構。
【請求項１０】
請求項１乃至９のいずれか一項に記載の投与量設定機構であって、ネジ付きロッド（１）は、円周方向に延びる領域（１ｃ）を有し、前記円周方向に延びる領域（１ｃ）上に歯部または固定素子が設けられる、投与量設定機構。
【請求項１１】
請求項１乃至１０のいずれか一項に記載の投与量設定機構を備える注射装置。
【発明の詳細な説明】
【技術分野】
【０００１】
本発明は注射装置のための投与量設定機構に関し、特に、注射装置からまたは注射装置の支援により投与量または分配される物質の量を設定できる、投与量を設定する機構に関する。
【背景技術】
【０００２】
独国特許発明第２０２０９０５１号明細書（ＤＥ２０２０９０５１Ｕ１）は、終端位置においてブロックされる投与量設定素子を備える注射装置を開示しており、これは、製品の投与量を選択するため、ハウジングに対する第１の方向の終端位置までの回転運動、および反対方向の回転を可能にし、投与量設定素子は運搬機構に連結され、これにより選択された製品投与量が容器から分配され、操作されるときに投与量設定素子により選択された製品投与量を運搬機構が分配する。回転防止機構は、投与量設定素子が第１回転方向の終端位置を越えて回転するのを防止する。
【０００３】
欧州特許第０８２８５２７号明細書（ＥＰ０８２８５２７Ｂ１）は、長手方向に変位可能な駆動スリーブを備える注射装置を開示しており、この注射装置は、注射される投与量を読むことができるように印刷された投与量ラベルが備えられ、また、アンプルの供給量が完全に使用されたとき、押しロッドを引くことにより注射装置が充填されることを防止する機構が備えられ、投与される実際の容量が、駆動スリーブの先端部の領域に設けられる投与量メモリ上の投与量設定機構から読むことができる。
【０００４】
注射装置のための平行移動比を備える投与量設定機構を、独国特許出願第１０２００５００１１５９．４号明細書から知ることができ、この手段により、特に小さな投与量が正確に設定でき且つ投与できる。
【０００５】
国際公開第２００４／０７８２３９号は薬剤投与装置を開示し、この薬剤投与装置は、内側ネジを備えるハウジング、ハウジングの内側ネジ内に位置するネジを備える投与量設定スリーブ、解放可能に投与量設定スリーブに接続される回転スリーブ、投与量設定スリーブと回転スリーブとの間に配置される連結部、を備え、２つのスリーブは、投与量設定スリーブと回転スリーブが連結しているときにハウジングに対して回転可能である。投与量設定スリーブおよび回転スリーブが脱連結しているとき、投与量設定スリーブは、ハウジングに対して回転可能であるが、回転スリーブはロックされており、ハウジングに対する回転が防止される。それにより、回転スリーブの軸方向の運動が可能になり、力が薬剤投与装置の近位端部の方へ長手方向に伝達される。
【０００６】
独国特許出願公開第１０２００５０２３８２４号明細書（ＤＥ１０２００５０２３８２４Ａ１）は、注射装置から投与される投与量を設定する投与量設定機構を開示しており、設定素子、特に設定スリーブ、プライミング素子、特に投与する容量を準備するための投与量設定機構から回転する回転スリーブを備える。また、停止部が設定素子上に設けられ、相補的な停止部がプライミング素子に設けられて、プライミング素子の設定素子に対する回転運動が停止部により制限される。また、本特許文献は、注射装置から投与する投与量を設定する方法を開示しており、投与される容量は設定素子により設定され、とくに設定スリーブにより設定され、注射装置は、プライミング素子によりプライミングされ、特に回転スリーブによりプライミングされ、回転運動により、設定投与量が後続のステップにおいて注射装置から投与され、設定操作は、プライミング操作から脱連結される。
【０００７】
国際公開第０２／０５３２１４号は、液体が充填された容器と組み合わせて使用するための投与量設定機構を開示しており、この投与量設定機構は、容器から設定された個別の液体投与量の繰り返しの注射を許容し、また、この投与量設定機構は、以下のものを含む。すなわち投与量設定機構は、ハウジング、ハウジングに接続され且つ容器から液体投与量を射出するように設計された駆動素子、ハウジング内に設けられたバネ素子、ハウジング内に設けられ且つバネ素子に接続された投与量設定システムを含み、投与量設定システムは、バネ素子のバイアス力に抗して第１の方向に選択された設定位置まで移動することができる投与量設定素子を有し、投与量設定素子のこの運動は、バネの緊張を与え、投与量設定素子は、トリガされるロック素子を有し、これはハウジングに接続され且つバネ素子のバイアス力に抗して投与量設定素子を設定位置に保持するように設計され、それにより、ロック素子はトリガされ、投与量設定素子は、投与量設定機構が容器と組み合わされて使用されるときに、液体が充填された容器から設定投与量を射出するために、駆動素子を駆動し、設定投与量を射出するための力は、バネ素子により伝達され、投与量設定素子は、第２方向に移動でき、設定位置が選択的に設定されることを可能にする。
【発明の概要】
【発明が解決しようとする課題】
【０００８】
本発明の目的は、注射装置から分配される投与量を設定およびまたは／分配する投与量設定機構を提案することであり、また、このような投与量設定機構を組み込んだ注射装置を提供することであり、これにより、分配される投与量の便利で正しい設定が可能になる。
【課題を解決するための手段】
【０００９】
この目的は、添付の特許請求の範囲の独立請求項に基づいて達成される。また、有利な実施形態が従属請求項により画定される。
本発明による、注射装置から分配されるインスリンまたはホルモンのような薬効物質の投与量を設定する、たとえば注射装置またはアンプル内に収容される注射装置のための投与量設定機構は、投与量を分配するために、注射装置内で回転され、また、たとえば注射装置の内側ネジにより案内されるネジ付きロッドを備える。このようなネジ付きロッドおよび注射装置の可能な一実施形態の詳細は、同一の出願人による独国特許出願公開第１０２００５０２３８２４号明細書（ＤＥ１０２００５０２３８２４Ａ１）を参照し、ネジ付きロッドおよび投与量設定機構、および注射装置に関するこの特許文献の開示は、参照により本出願に含まれる。保持素子がネジ付きロッド上に提供され、これは、ネジ付きロッドが一方向または両方向に回転するのを防止するためにネジ付きロッドを固定することができる。たとえば、ネジ付きロッドのネジは、たとえば独国特許出願公開第１０２００５０２３８２４号明細書（ＤＥ１０２００５０２３８２４Ａ１）に説明されているように歯状にすることができる。また、ネジ付きロッドを回転位置に保持し且つ少なくとも一方向への回転を防止するためにロックするために、環状または円周状に延びる歯状領域のような、ネジ付きロッドの外側ネジに対して位置しない保持素子をネジ付きロッド上に設けることもでき、ネジ付きロッドは、１つまたは複数の保持素子内に位置する位置決め素子に応じて、保持される方向と反対側の方向に回転することができる。
【００１０】
たとえば回転スリーブのような設定素子は、設定素子がネジ付きロッドに対してい移動できるように、ネジ付きロッドに並んで配置されまたはネジ付きロッド上に配置され、好ましくは、設定素子は、たとえば独国特許出願公開第１０２００５０２３８２４号明細書（ＤＥ１０２００５０２３８２４Ａ１）に開示されているように、設定素子とネジ付きロッドとの間の位置関係が設定操作により変更されるように、ネジ付きロッドに対して回転できる。ネジ付きロッドは、好ましくは保持素子により保持され、保持素子はたとえば注射装置または以下で説明するガイドスリーブに接続される。それにより、設定素子、たとえば回転スリーブは、ネジ付きロッドを中心に回転することができ、設定操作の完了により量を設定し、物質の注射をトリガする。従って、設定素子はネジ付きロッドに対して回転でき、また、ネジ付きロッドの軸方向に押され、これは設定素子または回転スリーブが、ネジ付きロッドの外側ネジが位置する内側ネジを備えるという事実により達成できる。代替的に、回転スリーブが軸方向に押されることなくネジ付きロッドに対してのみ回転するようにすることができる。
【００１１】
設定素子または回転スリーブは、好ましくはバネ素子に連結され、バネ素子はたとえば設定素子の回転により張力が与えられ、また、物質を分配するのに必要なエネルギーを吸収し蓄える。このエネルギーは、ネジ付きロッドが解放されるときに設定素子または回転スリーブからネジ付きロッドに伝達され、ネジ付きロッドが注射装置の内側ネジ内を案内されるときに、ネジ付きロッドが注射装置の遠位方向に移動し、回転スリーブの回転運動をネジ付きロッドの前進運動に変換する。
【００１２】
たとえばガイドスリーブのような注射装置の保持素子は、好ましくは、注射装置に固定的に接続されてハウジングの一部を形成し、または、注射装置のハウジングと一体的に形成され、また、たとえば保持素子内に位置するキャッチアームまたはスナップアームのような少なくとも１つの保持素子を備え、保持素子はたとえば歯状部、円周方向に延びるリング、または、ネジ付きロッドの歯状ネジであり、ネジ付きロッドの回転運動を防止する。保持素子とネジ付きロッドとの間の連結がたとえばトリガボタンを押すことにより解放されたとき、設定運動の間にプライミングされる設定素子のバネ力が作用するネジ付きロッドは設定素子により駆動されて回転され、ネジ付きロッドを注射装置の遠位方向に移動させ、物質の分配を生じさせる。
【００１３】
位置決め素子の連結またはネジ付きロッド内の設定素子の素子の連結は、好ましくは、設定素子がネジ付きロッドに対して一方向にだけ移動でき、好ましくは一方の回転方向にだけ移動できるように設計され、設定素子反対方向の運動または回転が、保持素子内またはネジ付きロッドの素子内の、設定素子の位置決め素子により防止される。設定素子は、それゆえ、ネジ付きロッドに連結されて、ロック方向に対する回転が防止され、設定素子はネジ付きロッドに対して反対方向、回転方向または解放方向に回転できる。この連結は、たとえば、平坦および急峻なフランクを備えるネジ付きロッドの歯状部を用いて、および／または位置決め素子を用いて達成できる。
【００１４】
本発明で提案するように、回転スリーブとネジ付きロッドとの間のこの連結部は、設定操作の間に解放されることができ、たとえば、あまりに多くの投与量が設定された場合に、回転スリーブを反対に回転させることにより投与量を訂正することを可能にする。変位可能なまたは回転可能な投与量訂正素子をこの目的のために設けることができ、たとえば、投与量訂正素子は、設定素子とネジ付きロッドとの間の連結を解放する。たとえば、ネジ付きロッドに平行に移動できる素子が設けられ、好ましくは傾斜した表面を備え、この表面は、設定素子とネジ付きロッドとの間の連結部の領域に押されたら、傾斜表面により、たとえば位置決め素子を持ち上げることによりまたは押し出すことにより、設定素子とネジ付きロッドとの連結を解放する。また、この素子は、たとえば投与量訂正素子のための接触表面として機能する傾斜表面を備え、設定素子がネジ付きロッドに対して自由に移動でき、または、各方向に自由に回転できる。解放素子が押し出されたら、設定素子は、訂正された位置において、または投与量を訂正する回転位置において、ネジ付きロッドに再び連結される。
【００１５】
従って、設定素子または回転スリーブは、歯状ネジ付きロッド上に設けることができ、これは、投与量を設定するために一方向に移動または回転でき、また、回転スリーブは、好ましくは自動的にロックされて反対回転を防止する。この設定素子または回転スリーブの摩擦誘導の保持は、たとえば摩擦保持を生成するスリーブの素子を持ち上げることにより解放でき、換言すれば、回転スリーブの歯状ネジ付きロッドの歯部との係合が解放されるという事実により摩擦保持が解放され、それにより、回転スリーブが投与量を訂正するために回転を戻すことができる。
【００１６】
設定素子をネジ付きロッドから脱連結させる解放素子は、トリガボタンの一部とすることもでき、たとえばトリガボタンは、連結しているときに設定素子とネジ付きロッドとの間を延び、トリガボタンが僅かに押されたときに設定素子がネジ付きロッドから脱連結されることを可能にする解放素子を備える。これに関して、解放素子は、好ましくは、トリガを発生させることなく設定素子がネジ付きロッドから解放されるように配置され、換言すれば、ネジ付きロッドは、ネジ付き素子を保持する保持素子により解放されることなく、設定素子がネジ付きロッドから解放される。
【００１７】
本発明により提案される投与量設定機構は、単純な手段を提供し、これにより、たとえば、ネジ付きロッドが設定阻止または回転スリーブ内に案内されるときに、投与量を訂正でき、分配される物質の量が、初期位置において一方向のみへの設定運動または回転運動を許容する設定素子により固定され、それにより設定素子の単純な設計ができる。もし、投与量を設定するときにあまりに大きな投与量が設定された場合、設定素子または投与量設定素子は後ろ回転させることにより投与量訂正素子の手段により、設定素子をネジ付きロッドから脱連結させて、同時に分配を発生させることなく訂正することができる。
【００１８】
第２の実施形態に基づき、設定素子または回転スリーブは、設定操作の間、ネジ付きロッドまたは歯状ネジ付きロッド上で自由に回転でき、また、随意選択により、たとえば回転スリーブのスナップアームのようなネジ付きロッド内に位置する位置決め素子がなく、それにより、自由な設定運動を許容し、たとえば、自由な前進運動および反対回転運動を許容する。回転スリーブとネジ付きロッドとの間の連結部は、投与量が完全に設定されまた随意に訂正されるまで確立されない。これは、保持素子またはキャッチ素子が、変位可能なリングにより移動するという事実により達成され、ここでリングは、回転スリーブおよびネジ付きロッドのキャッチ素子に相補的に協働するように位置し、リングが移動したら連結部が設定素子とネジ付きロッドとの間で確立され、回転を防止する。
【００１９】
このような抗回転ロックの代替として、設定素子または回転スリーブのネジ付きロッドに対する運動が一方向のみに可能になるように、回転スリーブは、設定運動が終了するときネジ付きロッドに連結してもよい。
【００２０】
保持素子とネジ付きロッドとの間の連結部、および／または設定素子とネジ付きロッドとの間の連結部は、好ましくは、たとえば半径方向内側にバイアスされるスナップアームのような少なくとも１つの位置決め素子により操作され、これは、相補素子または回転素子またはネジ付きロッドの歯部と適切に協働して、ネジ付きロッドは完全に保持され、換言すれば、ネジ付きロッドは回転ロックされてたとえば両方向の回転が防止され、または一方向のみに回転ロックされ、この場合、設定素子およびネジ付きロッドはたとえば公知のラチェット機構等に基づいて連結される。
【００２１】
上述のタイプの変位可能な連結素子は、設定素子とネジ付きロッドとの間の連結部を確立するために、ネジ付きロッドの軸方向移動でき、この連結素子は、設定素子の一部またはトリガ機構の一部、たとえばトリガボタンとすることができ、あるいは、たとえば、スライドスイッチのような別個の素子とすることもできる。また、設定素子により設定された投与量が余りに大きいことに使用者が気付いた場合、設定素子とネジ付きロッドとの間の連結部を解放するために、変位可能な連結部は使用者により押されることができる。他のオプションは、設定動作のときに設定素子がネジ付きロッドに全く連結しておらず、この連結部は設定操作が完了しするまで、トリガ操作または注射を開始する前には確立されない、というものである。
【００２２】
他の側面に基づき、本発明は、上述のタイプの投与量設定機構を備える注射装置に関する。
例示的な実施形態を参照しながら本発明が以下に説明される。添付図面は以下のとおりである。
【図面の簡単な説明】
【００２３】
【図１】投与量設定機構の斜視図である。
【図２】図１に示す投与量設定機構の断面図である。
【図３Ａ】投与量設定機構の平面図である。
【図３Ｂ】図３Ａに示す線分Ａ−Ａに沿う断面図である。
【図４Ａ】９０°回転した図３Ａに示す投与量設定機構の平面図である。
【図４Ｂ】図４Ａに示す線分Ｂ−Ｂに沿う断面図である。
【図５】投与量設定機構の他の実施形態の斜視図である。
【発明を実施するための形態】
【００２４】
図１は、歯部１ａを組み込む円周方向に延びるネジ部１ｂを備える歯状ネジ付きロッド１を示している。
回転スリーブ２がネジ付きロッド１の周りに配置され、設定素子として機能し、回転スリーブ２は、位置決め素子２ａを備える。位置決め素子２ａは図２に示され、ネジ付きロッド１の歯部１ａ内に位置し、回転スリーブ２のネジ付きロッドに対する図２の矢印Ｐにより示される方向への回転を許容し、反対方向の回転を防止する。
【００２５】
ガイドスリーブ３は、注射装置のハウジングの一部とすることができ、ネジ付きロッド１の周りに配置され、また、スナップアーム３ａを備え、スナップアーム３ａはネジ付きロッド１の回転を防止する。
【００２６】
ネジ付きロッド１の外側ネジ１ｂは、図示しないが注射装置の内側ネジ内を案内される。
例示的な実施形態において、注射装置の内側ネジと協働し、設定操作の間に回転スリーブ２が注射装置の軸方向に変位することを可能にするように位置する外側ネジ２ｂを備える回転スリーブ２の回転により、あまりに多い投与量が設定された場合、回転スリーブ２は、概略的に図示された解放素子５によりネジ付きロッド１から脱連結することができ、解放素子５は傾斜表面５ａを備え、それゆえ、ネジ付きロッド１内の回転素子２の係合を解放するために、回転スリーブ２とネジ付きロッド１との間で押されることができ、あまりに多く設定された投与量を戻し投与量を訂正することを可能にする。これに関し、回転スリーブ２は、前面に協働する傾斜表面を備えることができ、解放素子５が押されて解放または脱連結の効果を発生させるのを容易にする。解放素子５は、外側から操作されるまたは移動させられる素子の形態で提供することができ、または、たとえば代替的に変位可能なスリーブの形態で提供することができる。
【００２７】
注射をトリガするために、保持素子として機能するガイドスリーブ３と歯付きロッド１との間の連結部は、トリガボタン４を案内スリーブの方向へ押すことにより解放することができる。これに関し、トリガボタン４は傾斜前面４ｂを備える軸方向に突き出す解放素子４ａを備え、傾斜前面４ｂは、協働するガイドスリーブ３のスナップアーム３ａの傾斜した相補表面に接触するように移動し、トリガボタン４がさらに押されたときにスナップアーム３ａを持ち上げ、換言すると、傾斜前面４ｂは、スナップアーム３ａをネジ付きロッド１から半径方向外側に移動させ、それによりネジ付きロッド１の回転ロックまたは回転保持を解放する。
【００２８】
もはやガイドスリーブ３により保持されておらず、ネジ付きロッド１はここで回転スリーブ２により駆動される。回転スリーブ２は、設定操作のときに張力が与えられてここで弛緩するバネ６により回転が戻され、これは、ネジ付きロッド１の回転運動を発生させ、それゆえ、ネジ付きロッド１のネジ部１ｂを介する連結部によりネジ付きロッド１の注射装置の遠位方向への運動を発生させ、回転スリーブ２のプライミング回転運動により設定された投与量を分配する。
【００２９】
回転スリーブ２と歯付きロッド１との間の連結の解放に関して、代替的にまたは追加的に、本発明の第２の側面による効果により、回転スリーブ２と歯状ネジ付きロッド１との間の連結は、投与量が完全に設定され必要であれば訂正されるまで確立されず、またキャッチ素子によりそのようになり、キャッチ素子は、変位可能なリングにより移動させられ、リングは回転スリーブ２および歯状ネジ付きロッド１の歯部１ａとともに位置する。
【００３０】
図５は他の実施形態を示しており、図５において、投与量は１つ以上のスナップアーム持ち上げ手段８ａを備える投与量設定スリーブ８により設定され、スナップアーム持ち上げ手段８ａは回転スリーブ２内に位置し、またはスナップアーム２ａと協働し、回転が投与量設定方向に伝達され（矢印Ｄ）、訂正方向（矢印Ｋ）の回転は、スナップアーム持ち上げ手段８ａの傾斜表面により、スナップアーム２ａの持ち上げを発生させる。スナップアーム２ａはそれゆえネジ付きロッド１から脱連結される。
【図１】
2010524600.tif 000003
【図２】
2010524600.tif 000004
【図３Ａ】
2010524600.tif 000005
【図３Ｂ】
2010524600.tif 000006
【図４Ａ】
2010524600.tif 000007
【図４Ｂ】
2010524600.tif 000008
【図５】
2010524600.tif 000009
【国際調査報告】
2010524600.tif 000010
2010524600.tif 000011
2010524600.tif 000012
2010524600.tif 000013